(57)【要約】【課題】使用時の男性用避妊具の抜けを防止しつつ、陰嚢への圧迫感を抑制するための男性用避妊具脱落防止具を提供する。【解決手段】男性用避妊具の開口よりも大きい内径を有する弾性の環部２と、環部２の一部に設けられて環部２の幅方向の少なくとも一方に突出して男性用避妊具の開口の縁部を係止する係止部３ｂとを有する。そして、男性用避妊具脱落防止具を陰茎、陰嚢の根本に装着し、さらに男性用避妊具の開口縁部を係止部に係止させる。【選択図】図１
2008125929.tif 000002
【特許請求の範囲】
【請求項１】
男性用避妊具の開口より大きい内径を有する弾性の環部と、
前記環部の一部に設けられて前記環部の幅方向の少なくとも一方に突出して前記男性用避妊具の前記開口の縁部の一部を係止する係止部と、
を有することを特徴とする男性用避妊具脱落防止具。
【請求項２】
前記係止部は、前記環部上で厚さ方向の外側に突出している突起に設けられていることを特徴とする、請求項１に記載の男性用避妊具脱落防止具。
【請求項３】
前記環部の外面側には、前記環部の周方向に前記突起の両側から遠ざかるに従って徐々に薄くなるテーパが設けられていることを特徴とする、請求項１又は請求項２に記載の男性用避妊具脱落防止具。
【請求項４】
前記係止部の下面は、その直下の前記環部の内面に対して浮き上がり状の段差を有することを特徴とする、請求項１乃至請求項３のいずれかに記載の男性用避妊具脱落防止具。
【請求項５】
前記係止部が突出する前記環部の前記幅方向の前記一方と逆の方向に、前記突起の拡張部が形成されていることを特徴とする、請求項１乃至請求項４のいずれかに記載の男性用避妊具脱落防止具。
【請求項６】
前記環部は帯状であることを特徴とする、請求項１乃至請求項５のいずれかに記載の男性用避妊具脱落防止具。
【請求項７】
前記環部の幅は、前記突起の両側において最も広くなっていることを特徴とする、請求項６に記載の男性用避妊具脱落防止具。
【請求項８】
前記環部は、天然ゴム、合成ゴム、男性用避妊具と同じ材料のいずれかで形成されていることを特徴とする、請求項１乃至請求項７のいずれかに記載の男性用避妊具脱落防止具。
【請求項９】
前記突起は、前記環部と一体に成型されていることを特徴とする、請求項１乃至請求項８のいずれかに記載の男性用避妊具脱落防止具。
【発明の詳細な説明】
【技術分野】
【０００１】
本発明は、男性用避妊具脱落防止具に関し、特に、男性用避妊具であるコンドームの脱落を防止する脱落防止具に関する。
【背景技術】
【０００２】
男性用避妊具であるコンドームは、軟性の天然ゴムや合成樹脂により形成された変形自在な筒状体で構成され、閉塞されたその一端には膨らみや突起からなる液溜部が設けられ、また、開口されたその他端は未使用状態で巻き上げられて扁平な状態となっている。そして、装着時には開口端から巻きが解かれ、引き延ばされながら陰茎を外から覆う状態となる。
【０００３】
男性用避妊具は、規格品として様々なサイズのものが各社より提供され、性能や構造的にはあまり差はないが、使用中に脱落することがあり、これでは本来の目的を達成できない懸念がある。
【０００４】
そのような男性用避妊具については、下記の特許文献１〜５に記載のように、使用中の脱落を防止するために種々の工夫を凝らした構成が提案されている。
【０００５】
特許文献１、特許文献２に記載の男性用避妊具は、筒状体の開口部の２カ所に紐又はテープの両端を取り付けた構造を有し、使用時には、筒状体を陰茎に装着した状態で紐又はテープを陰嚢の下側にくぐらせて裏側に引っかけるようにするものである。これにより、紐又はテープの収縮性によって筒状体が陰茎から容易に抜けないようになる。
【０００６】
特許文献３に記載の男性用避妊具は、弾性の環状紐から構成されたものである。この環状紐は、筒状体の開口部の縁に形成された肉厚の環と陰嚢の裏側とに斜めに掛け渡すことにより、弾性紐の収縮性によって筒状体が陰茎から容易に抜けないようになっている。
【０００７】
特許文献４、特許文献５に記載の男性用避妊具は、筒状体の開口部の縁より先の部分に切り込みを入れた構造を有している。そして、その切り込みにより自由になった開口部の縁を引き延ばし、陰嚢の下をくぐらせてその裏側に掛けることにより、筒状体が陰茎から容易に抜けないようになっている。
【０００８】
しかしながら、特許文献１〜特許文献５に記載の男性用避妊具は、筒状体の開口部に取り付けられたり装着されたりする紐、テープまたは切り込みを陰嚢のしたにくぐらせてその裏側に掛けるようになっている。
【０００９】
これにより、使用時には、紐、テープ等が陰嚢を陰茎に向けて斜め上方向に引き上げる力のみが生じるために、陰嚢を集中的に圧迫して使用者に不快感を生じさせる。特に、特許文献４、５に記載のものは、陰嚢に伸びる部分の元々の大きさが筒状体の開口径と同じであるために、陰嚢を引っ張る力は強くなりがちである。
【００１０】
これに対して特許文献６〜１０のそれぞれに記載のように、陰茎に装着されたコンドームの外周を陰茎の根本に押さえつけるコンドーム脱落防止リングが提案され、その内部には所定の形状の記憶合金製板状芯体が取り付けられて陰茎の膨張時に収縮するように構成されている。
【００１１】
それらのうちの特許文献６には、コンドーム脱落防止リングの下半部中央に切れ込み端を設けることが記載されている。
【００１２】
特許文献７には、コンドーム脱落防止リングの下半部中央に切れ込み端が設けられ、さらに上半部の中央にはリング内側に突出する小突起部を設けることが記載されている。
【００１３】
特許文献８には、コンドーム脱落防止リングの下半部中央の切れ込み端とその上半部の中央に、リングの内側に突出する小突起部をそれぞれ設けることが記載されている。
【００１４】
また、特許文献９には、コンドーム脱落防止リングの上半部が半円弧に形成され、下半部が楕円状に形成され、下半部の中央に切れ込みが形成され、さらに、下半部中央の切れ込み端と上半部の中央にはリングの内側に向けて突出する小突起部が設けられることが記載されている。
【００１５】
さらに、特許文献１０には、コンドーム脱落防止リングの内側に突出する突起部を有する突起保持体をリングに装着可能に取り付けることが記載されている。
【特許文献１】特開２００５−３１２８４９号公報
【特許文献２】特開平０６−１９７９２１号公報
【特許文献３】特開２００５−１６８６２６号公報
【特許文献４】特開平１０−３０５０５８号公報
【特許文献５】特開平０９−２２０２４８号公報
【特許文献６】実開平０５−０３９５２５号公報
【特許文献７】実開平０６−０６１２２０号公報
【特許文献８】特開平０７−２３１９０５号公報
【特許文献９】実用新案登録第３０２７８６０号公報
【特許文献１０】実用新案登録第３０５３３３１号公報
【発明の開示】
【発明が解決しようとする課題】
【００１６】
しかし、特許文献６〜１０に記載のコンドーム脱落防止リングには、特許文献１〜５に記載のように、陰嚢を前方に圧迫するような応力は作用しないものの、陰茎が収縮した場合にコンドームが抜けやすくなる。この場合、リングの径を狭くすることも可能であるが、膨張状態での陰茎へのリングの圧迫力が増すので、使用者に不快感を与えてしまう。
【００１７】
本発明の目的は、使用時の男性用避妊具の抜けを防止しつつ、陰嚢への圧迫感を抑制することができる男性用避妊具脱落防止具を提供することである。
【課題を解決するための手段】
【００１８】
上述の課題は、男性用避妊具の開口より大きい内径を有する弾性の環部と、前記環部の一部に設けられて前記環部の幅方向（環部開口面に垂直な方向、中心軸方向）の少なくとも一方に突出して前記男性用避妊具の前記開口の縁部の一部を係止する係止部とを有することを特徴とする男性用避妊具脱落防止具によって解決される。
【００１９】
上記の男性用避妊具脱落防止具において、前記係止部は、前記環部上で厚さ方向の外側に突出している突起に設けられていることを特徴とする。
【００２０】
上記の男性用避妊具脱落防止具において、前記環部の外面側には、前記環部の周方向に前記突起の両側から遠ざかるに従って徐々に薄くなるテーパが設けられていることを特徴とする。
【００２１】
上記の男性用避妊具脱落防止具において、前記係止部の下面は、その直下の前記環部の内面に対して浮き上がり状の段差を有することを特徴とする。
【００２２】
上記の男性用避妊具脱落防止具において、前記係止部が突出する前記環部の前記幅方向の前記一方とは逆方向に、前記突起の拡張部が形成されていることを特徴とする。
【００２３】
上記の男性用避妊具脱落防止具において、前記環部は厚さより充分大きい幅を有する帯状であることを特徴とする。この場合、前記環部の幅は、前記突起の両側において最も広くなっていてもよい。
【００２４】
上記の男性用避妊具脱落防止具において、前記環部は、天然ゴム、合成ゴム、男性用避妊具用材料と同じ材料のいずれかで形成されていることを特徴とする。
【００２５】
上記の男性用避妊具脱落防止具において、前記突起は、前記環部と一体に成型されていることを特徴とする。
【発明の効果】
【００２６】
本発明の男性用避妊具脱落防止具は、その係止部を人の胴体に向けた状態で陰茎の根本の周囲に装着し、その後で、陰茎に装着した男性用避妊具の開口縁部の一部を引き伸ばして係止部に掛けるように係止させると、陰茎の伸縮にかかわらずに男性用避妊具の抜けが防止できる。しかも、その環部は、陰茎の根本を包むような状態を保持するので、その力が陰嚢に集中することはなく、陰嚢に不快感を与えるのを防止できる。
【００２７】
この状態で、男性用避妊具が収縮しても、男性用避妊具と環部の双方の弾性力によって、男性用避妊具と係止部の係止状態が容易に解かれることはない。
【発明を実施するための最良の形態】
【００２８】
以下に本発明の実施の形態を図面に基づいて詳細に説明する。添付の図面において、同じ符号は同様の要素を示している。
【００２９】
（第１の実施形態）
図１（ａ）〜（ｄ）は、本発明の第１実施形態による男性用避妊具脱落防止具１を示す正面図、側面図、背面図及び上面図であり、図２は、その斜視図である。
【００３０】
図１、図２において、男性用避妊具（コンドーム）脱落防止具１は、天然ゴムまたはポリウレタン等の合成ゴム等の弾性材で形成されている。男性用避妊具脱落防止具１は、伸縮自在及び変形自在な帯状の環部２と、環部２の周方向の少なくとも一箇所に取り付けられて環部２の半径方向又は径方向又は厚さ方向の外方に突出する突起３と、を有する。環部２の厚さは、一般的には０．８〜１．５ｍｍであり、典型的には約０．９〜１．１ｍｍであり、例えば１ｍｍである。環部２の内径は、一般的には３５〜５０ｍｍであり、典型的には４０ｍｍ〜４５ｍｍであり、例えば４２ｍｍである。環部２の帯幅は、一般的には７〜１３ｍｍであり、典型的には８〜１２ｍｍであり、例えば１０ｍｍである。
【００３１】
伸ばさない状態の環部２の内径は、特に限定されるものではないが、伸ばさない状態のコンドームの内径（約３２〜３５ｍｍ）より充分大きく、一般的にはコンドームの内径の約１．１〜１．６倍であり、典型的にはその約１．１５〜１．３５倍であり、例えば１．２５倍である。
【００３２】
突起３は、コンドームの内側との間の摩擦力が充分大きい材料、例えば、環部２と同じ材料又はコンドームと同じ材料で形成されるが、その厚さは環部２よりも充分肉厚であり、突起３は変形しにくい。突起３の厚さは、一般的には３〜７ｍｍであり、典型的には４〜６ｍｍであり、例えば５ｍｍである。環部２の周方向の突起３の長さは、一般的には１３〜２１ｍｍであり、典型的には１５〜１９ｍｍ、例えば１７ｍｍである。突起３と環部２の合計の厚さは、一般的には３．８〜８．５ｍｍであり、典型的には約３．９〜８．１ｍｍであり、例えば６ｍｍである。突起３は環部２と一体に成型または形成されていることが好ましい。代替構成として、突起３を環部２に固定または固着するために、突起３の底面を環部２の上面に適切な接着剤で接着しても、突起３を環部２に糸で縫い合わせても、または突起３を環部２にホチキスの針で止めてもよい。環部２および突起３、特に突起３には、鋭利な突出部や先端部、特に硬い鋭利な突出部や先端（例えば、針の先端）が外部に露出していないことが好ましい。その理由は、そのような鋭利な突出部や先端部が、突起３に係止された薄いコンドームの薄い膜を破る恐れがあるからである。
【００３３】
また、突起３の一端には、環部２の帯幅の一方向に環部２から突出する係止部３ａが設けられている。突起３の外側に露出する端縁は丸みを与えてある。係止部３ａの突出幅は、一般的には２〜８ｍｍであり、典型的には３〜７ｍｍであり、例えば５ｍｍである。この係止部３ａには、コンドームの開口部（リング状部）の一部が係止される。その係止部３ａの下側の面３ｂは、環部２の内面２ａの延長仮想面に対してその厚さ方向または半径方向に浮き上がり状の小さい段差αを有する。その段差によって、コンドームの開口部の一部の係止部３ａへの係止が容易になる。その段差αの高さは、コンドームの開口縁部の厚さと実質的に等しい又はその厚さより僅かに小さい又はその厚さ以上の大きさを有し、一般的には０．４〜１．６ｍｍ、典型的には０．６〜１．３ｍｍ、例えば約１ｍｍである。
【００３４】
以上の構成の男性用避妊具脱落防止具１は次のように使用される。
まず、男性用避妊具脱落防止具１の突起３の上面を人の顔の方向（上方向）に向けるとともにその係止部３ａを人の腹部に向けた状態で、環部２の径を伸ばし広げてこれを陰茎、陰嚢の順、又はその逆の順にくぐらせて通すと、男性用避妊具脱落防止具１は、図３（ｂ）に示すように、陰嚢Ｂ裏側の胴体寄りの位置で陰茎Ａの根本を外周から包むように装着される。
【００３５】
その後で、巻きを解きながらコンドームを陰茎Ａに被せ、その開口部が陰茎Ａの根本に到達した状態で、図３（ｂ）に示すように、コンドーム１０の開口縁部Ｄのうち人の臍に近い部分を指で摘み上げ、その開口縁部Ｄの内面を突起３及び係止部３ａの上面に接触させてそのまま係止部３ａの下面３ｂに回り込ませると、コンドーム１０の開口縁部Ｄの一部は係止部３ａの下面３ｂで係止された状態を保持する。
【００３６】
それによって、陰茎Ａから抜ける方向にコンドーム１０に力が加わっても、その開口縁部Ｄは男性用避妊具脱落防止具１の係止部３ａに引っかかったままであり、コンドーム１０は容易には陰茎Ａから抜けない。
【００３７】
しかも、男性用避妊具脱落防止具１は、環部２内に嵌め込まれている陰茎Ａと陰嚢Ｂによっても前方向への大きな移動は阻止される。
【００３８】
また、男性用避妊具脱落防止具１の環部２は帯状であるので、突起３がコンドーム１０によって前方に引っ張られても、その引っ張り力は、環部２内面が接触している陰茎Ａの根本外周および陰嚢Ｂの上部に分散し、陰嚢Ｂに集中することはなく、装着感が良好となる。
【００３９】
コンドーム１０を陰茎から外す場合には、コンドーム１０の開口縁部Ｄを突起３の係止部３ａから指で外した後に、コンドーム１０を陰茎Ａから抜き去る。この場合には、陰茎Ａが収縮していることが多く、コンドーム１０による引っ張り力も小さくなって係止部３ａからのコンドーム１０の取り外しは容易となる。
【００４０】
なお、男性用避妊具脱落防止具１を人体から外す場合には、装着時と逆の扱いを行う。
【００４１】
（第２の実施形態）
図４（ａ）〜（ｄ）は、本発明の第２実施形態による男性用避妊具脱落防止具１を示す正面図、側面図、背面図及び上面図である。
【００４２】
図４において、男性用避妊具脱落防止具１の環部２の外面側には、環部２の周方向にその上の突起３の上面の両側辺から遠ざかるに従って徐々に薄くなるテーパ４、またはその上の突起３の上面の両側辺に向けて徐々に肉厚となるテーパ４が形成されている。換言すれば、突起３の両側は環部２に対してそのテーパ部によって傾斜面となっている。
【００４３】
それによって、突起３と環部２の接合部の面積が第１実施形態に比べて増すので、環部２に対する突起部３の強度（分離するような外力に抗する強度）が高くなり、突起３に外力が加わったときに、突起３が引き起こされることが防止される。これによって、突起３と陰茎の一体感が増し、男性用避妊具脱落防止具１の装着感がさらに良好になる。
【００４４】
（第３の実施形態）
図５（ａ）〜（ｄ）は、本発明の第３実施形態による男性用避妊具脱落防止具１を示す正面図、側面図、背面図及び上面図である。
【００４５】
図５に示す男性用避妊具脱落防止具１は、環部２に設けられた突起３のうちの係止部３ａとは反対側に、その係止部３ａと同じ機能の第２の係止部３ｃが設けられている。
【００４６】
それによって、男性用避妊具脱落防止具１を装着するときに、環部２の前向き、後向きの判断が無用となり、第１、第２実施形態に比べてさらに装着が容易になる。
【００４７】
なお、本実施形態において、特に図示しないが、第２実施形態と同様に、突起３の両側であって環部２の上面にテーパ部（４）を設けてもよい。
【００４８】
（第４の実施形態）
図６（ａ）〜（ｄ）は、本発明の第４実施形態による男性用避妊具脱落防止具１を示す正面図、側面図、背面図及び上面図である。
【００４９】
図６に示す男性用避妊具脱落防止具１は、環部２に設けられた突起３の係止部３ａの突出方向とは反対方向の側部に、環部２の内面２ａに連続した下面を有する押さえ用拡張部５が突出して設けられている。
【００５０】
それによれば、突起３の係止部３ａにコンドームの開口縁部の一部を係止した状態において、コンドームの収縮力によって突起部３に前方へ力が加わったときには、前方にある拡張部５が陰茎上部に接触し押圧して、その力を陰茎上でさらに分散させることができ、陰嚢へ加わる力を小さくして装着感をさらに良好にすることができる。
【００５１】
なお、本実施形態において、特に図示しないが、第２実施形態と同様に、環部２の周方向の突起３の両側であって環部２の上面にテーパ４を設けてもよい。
【００５２】
（第５の実施形態）
図７（ａ）〜（ｄ）は、本発明の第５実施形態による男性用避妊具脱落防止具１を示す正面図、側面図、背面図及び上面図である。
【００５３】
図７に示す男性用避妊具脱落防止具１は、環部２の帯状の幅を、一定にせずに、突起３の配置領域で最も大きく広くなるようにテーパ状の拡幅部２ｂを設けた構造を有する。
【００５４】
これによれば、突起３の係止部３ａにコンドームの開口縁部が係止された状態において、コンドームから突起部３に前方へ引っ張る力が加わった時には、その力のうち陰茎に加わる成分を大きくする一方、陰嚢に加わる力を小さくすることができ、陰嚢に生じる不快感を大幅に減らして装着感をより良好にすることができる。
【００５５】
なお、本実施形態において、特に図示しないが、第２実施形態と同様に、突起３の両側であって環部２の上面にテーパ４を設けてもよい。
【００５６】
上記した各実施形態における各要素または各特徴を組み合わせることが可能であり、それによって男性用避妊具脱落防止具１の装着感がより良好になる。
【図面の簡単な説明】
【００５７】
【図１】図１（ａ）〜（ｄ）は、本発明の第１実施形態による男性用避妊具脱落防止具を示す正面図、側面図、背面図及び上面図である。
【図２】図２は、本発明の第１実施形態による男性用避妊具脱落防止具を示す斜視図である。
【図３】図３（ａ）、（ｂ）は、本発明の第１実施形態による男性用避妊具脱落防止具の使用状態を示す断面図である。
【図４】図４（ａ）〜（ｄ）は、本発明の第２実施形態による男性用避妊具脱落防止具を示す正面図、側面図、背面図及び上面図である。
【図５】図５（ａ）〜（ｄ）は、本発明の第３実施形態による男性用避妊具脱落防止具を示す正面図、側面図、背面図及び上面図である。
【図６】図６（ａ）〜（ｄ）は、本発明の第４実施形態による男性用避妊具脱落防止具を示す正面図、側面図、背面図及び上面図である。
【図７】図７（ａ）〜（ｄ）は、本発明の第５実施形態による男性用避妊具脱落防止具を示す正面図、側面図、背面図及び上面図である。
【符号の説明】
【００５８】
１  男性用避妊具脱落防止具
２  環部
２ａ  内面
２ｂ  拡幅部
３  突起
３ａ、３ｃ  係止部
３ｂ、３ｄ  下面
４  テーパ
５  押さえ用拡張部
【図１】
2008125929.tif 000003
【図２】
2008125929.tif 000004
【図３】
2008125929.tif 000005
【図４】
2008125929.tif 000006
【図５】
2008125929.tif 000007
【図６】
2008125929.tif 000008
【図７】
2008125929.tif 000009
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
男性用避妊具の開口より大きい内径を有し、厚さよりも大きい幅を有する帯状に形成された伸縮自在かつ弾性の帯状環部と、
前記帯状環部の一部に固着または一体化されていて前記帯状環部の幅方向の少なくとも一方に突出し、かつ前記男性用避妊具の前記開口の縁部の一部が前記帯状環部の外側を通って係止される係止部と、
を有し、
前記帯状環部の幅は、一定ではなく、前記突起の配置領域において最も広く、
前記係止部は、前記帯状環部の外周上で厚さ方向に突出している突起に設けられており、
前記係止部のうち前記帯状環部から前記幅方向に突出した部分の下面は、前記突起の直下の前記帯状環部のうち最も広い領域の内面に対して浮き上がり状であって前記男性用避妊具の前記開口の縁部の一部を係止するための段差を有すること
を特徴とする男性用避妊具脱落防止具。
【請求項２】
前記帯状環部の厚さは０．８〜１．５ｍｍであり、前記帯状環部の幅は７〜１３ｍｍであることを特徴とする、請求項１に記載の男性用避妊具脱落防止具。
【請求項３】
前記突起の厚さは３〜７ｍｍであることを特徴とする、請求項１又は請求項２に記載の男性用避妊具脱落防止具。
【請求項４】
前記段差の高さは０．４〜１．６ｍｍであることを特徴とする、請求項１乃至請求項３のいずれかに記載の男性用避妊具脱落防止具。
【請求項５】
前記帯状環部の外周面側には、前記帯状環部の周方向に前記突起の両側から遠ざかるに従って徐々に薄くなるテーパーが設けられていることを特徴とする、請求項１乃至請求項４のずれかに記載の男性用避妊具脱落防止具。
【請求項６】
前記係止部が突出する前記帯状環部の前記幅方向の前記一方と逆の方向に、前記突起の拡張部が形成されていることを特徴とする、請求項１乃至請求項５のいずれかに記載の男性用避妊具脱落防止具。
【請求項７】
前記帯状環部は、天然ゴム、合成ゴム、男性用避妊具と同じ材料のいずれかで形成されていることを特徴とする、請求項１乃至請求項６のいずれかに記載の男性用避妊具脱落防止具。
【手続補正２】
【補正対象書類名】明細書
【補正対象項目名】００１８
【補正方法】変更
【補正の内容】
【００１８】
上述の課題は、男性用避妊具の開口より大きい内径を有し、厚さよりも大きい幅を有する帯状に形成された伸縮自在かつ弾性の帯状環部と、前記帯状環部の一部に固着または一体化されていて前記帯状環部の幅方向（環部開口面に垂直な方向、中心軸方向）の少なくとも一方に突出し、かつ前記男性用避妊具の前記開口の縁部の一部が前記帯状環部の外側を通って係止される係止部と、を有し、前記帯状環部の幅は、一定ではなく、前記突起の配置領域において最も広く、前記係止部は、前記帯状環部の外周上で厚さ方向に突出している突起に設けられており、前記係止部のうち前記帯状環部から前記幅方向に突出した部分の下面は、前記突起の直下の前記帯状環部の内面に対して浮き上がり状であって前記男性用避妊具の前記開口の縁部の一部を係止するための段差を有することを特徴とする男性用避妊具脱落防止具によって解決される。
【手続補正３】
【補正対象書類名】明細書
【補正対象項目名】００１９
【補正方法】変更
【補正の内容】
【００１９】
上記の男性用避妊具脱落防止具において、前記帯状環部の厚さは０．８〜１．５ｍｍであり、前記帯状環部の幅は７〜１３ｍｍであることを特徴とする。
【手続補正４】
【補正対象書類名】明細書
【補正対象項目名】００２０
【補正方法】変更
【補正の内容】
【００２０】
上記の男性用避妊具脱落防止具において、前記突起の厚さは３〜７ｍｍであることを特徴とする。
【手続補正５】
【補正対象書類名】明細書
【補正対象項目名】００２１
【補正方法】変更
【補正の内容】
【００２１】
上記の男性用避妊具脱落防止具において、前記段差の高さは０．４〜１．６ｍｍであることを特徴とする。
【手続補正６】
【補正対象書類名】明細書
【補正対象項目名】００２２
【補正方法】変更
【補正の内容】
【００２２】
上記の男性用避妊具脱落防止具において、前記帯状環部の外周面側には、前記帯状環部の周方向に前記突起の両側から遠ざかるに従って徐々に薄くなるテーパーが設けられていることを特徴とする。
【手続補正７】
【補正対象書類名】明細書
【補正対象項目名】００２３
【補正方法】変更
【補正の内容】
【００２３】
上記の男性用避妊具脱落防止具において、前記係止部が突出する前記帯状環部の前記幅方向の前記一方と逆の方向に、前記突起の拡張部が形成されていることを特徴とする。
【手続補正８】
【補正対象書類名】明細書
【補正対象項目名】００２４
【補正方法】変更
【補正の内容】
【００２４】
上記の男性用避妊具脱落防止具において、前記帯状環部は、天然ゴム、合成ゴム、男性用避妊具と同じ材料のいずれかで形成されていることを特徴とする。
【手続補正９】
【補正対象書類名】明細書
【補正対象項目名】００２５
【補正方法】削除
【補正の内容】
【手続補正１０】
【補正対象書類名】明細書
【補正対象項目名】００３５
【補正方法】変更
【補正の内容】
【００３５】
その後で、巻きを解きながらコンドームを陰茎Ａに被せ、その開口部が陰茎Ａの根本に到達した状態で、図３（ｂ）に示すように、コンドーム１０の開口縁部１０ａのうち人の臍に近い部分を指で摘み上げ、その開口縁部１０ａの内面を突起３及び係止部３ａの上面に接触させてそのまま係止部３ａの下面３ｂに回り込ませると、コンドーム１０の開口縁部１０ａの一部は係止部３ａの下面３ｂで係止された状態を保持する。
【手続補正１１】
【補正対象書類名】明細書
【補正対象項目名】００３６
【補正方法】変更
【補正の内容】
【００３６】
それによって、陰茎Ａから抜ける方向にコンドーム１０に力が加わっても、その開口縁部１０ａは男性用避妊具脱落防止具１の係止部３ａに引っかかったままであり、コンドーム１０は容易には陰茎Ａから抜けない。
【手続補正１２】
【補正対象書類名】明細書
【補正対象項目名】００３９
【補正方法】変更
【補正の内容】
【００３９】
コンドーム１０を陰茎から外す場合には、コンドーム１０の開口縁部１０ａを突起３の係止部３ａから指で外した後に、コンドーム１０を陰茎Ａから抜き去る。この場合には、陰茎Ａが収縮していることが多く、コンドーム１０による引っ張り力も小さくなって係止部３ａからのコンドーム１０の取り外しは容易となる。
【手続補正書】
【提出日】平成19年7月20日(2007.7.20)
【手続補正１】
【補正対象書類名】特許請求の範囲
【補正対象項目名】全文
【補正方法】変更
【補正の内容】
【特許請求の範囲】
【請求項１】
男性用避妊具の開口より大きい内径を有し、厚さよりも大きい幅を有する帯状に形成され、陰嚢裏側の胴体寄りの位置で陰茎の根本を外周から包み込む状態に装着される伸縮自在かつ弾性の帯状環部と、
前記帯状環部の一部に固着または一体化されていて前記帯状環部の幅方向の少なくとも一方に突出し、かつ前記男性用避妊具の前記開口の縁部の一部が前記帯状環部の外側を通って係止される係止部と、
を有し、
前記帯状環部の幅は、一定ではなく、前記突起の配置領域において最も広く、
前記係止部は、前記帯状環部の外周上で厚さ方向に突出している突起に設けられており、
前記係止部のうち前記帯状環部から前記幅方向に突出した部分の下面は、前記突起の直下の前記帯状環部のうち最も広い領域の内面に対して浮き上がり状であって前記男性用避妊具の前記開口の縁部の一部を係止するための段差を有すること
を特徴とする男性用避妊具脱落防止具。
【請求項２】
前記帯状環部の厚さは０．８〜１．５ｍｍであり、前記帯状環部の幅は７〜１３ｍｍであることを特徴とする、請求項１に記載の男性用避妊具脱落防止具。
【請求項３】
前記突起の厚さは３〜７ｍｍであることを特徴とする、請求項１又は請求項２に記載の男性用避妊具脱落防止具。
【請求項４】
前記段差の高さは０．４〜１．６ｍｍであることを特徴とする、請求項１乃至請求項３のいずれかに記載の男性用避妊具脱落防止具。
【請求項５】
前記帯状環部の外周面側には、前記帯状環部の周方向に前記突起の両側から遠ざかるに従って徐々に薄くなるテーパーが設けられていることを特徴とする、請求項１乃至請求項４のずれかに記載の男性用避妊具脱落防止具。
【請求項６】
前記係止部が突出する前記帯状環部の前記幅方向の前記一方と逆の方向に、前記突起の拡張部が形成されていることを特徴とする、請求項１乃至請求項５のいずれかに記載の男性用避妊具脱落防止具。
【請求項７】
前記帯状環部は、天然ゴム、合成ゴム、男性用避妊具と同じ材料のいずれかで形成されていることを特徴とする、請求項１乃至請求項６のいずれかに記載の男性用避妊具脱落防止具。
【手続補正２】
【補正対象書類名】明細書
【補正対象項目名】００１８
【補正方法】変更
【補正の内容】
【００１８】
上述の課題は、男性用避妊具の開口より大きい内径を有し、厚さよりも大きい幅を有する帯状に形成され、陰嚢裏側の胴体寄りの位置で陰茎の根本を外周から包み込む状態に装着される伸縮自在かつ弾性の帯状環部と、前記帯状環部の一部に固着または一体化されていて前記帯状環部の幅方向（環部開口面に垂直な方向、中心軸方向）の少なくとも一方に突出し、かつ前記男性用避妊具の前記開口の縁部の一部が前記帯状環部の外側を通って係止される係止部と、を有し、前記帯状環部の幅は、一定ではなく、前記突起の配置領域において最も広く、前記係止部は、前記帯状環部の外周上で厚さ方向に突出している突起に設けられており、前記係止部のうち前記帯状環部から前記幅方向に突出した部分の下面は、前記突起の直下の前記帯状環部の内面に対して浮き上がり状であって前記男性用避妊具の前記開口の縁部の一部を係止するための段差を有することを特徴とする男性用避妊具脱落防止具によって解決される。